(57)【特許請求の範囲】
【請求項１】
小魚に類似した外形を有する金属製のボディと、
水中を移動するとき、水の抵抗を受けることにより、ボディとは異なる動きをしうる水抵抗体とを備えており、
上記ボディが、前端部の頭部と、後端部の尾部と、この頭部と尾部との間における上部である背部及び下部である腹部と、左右の体側部の一方である第一体側部及び他方である第二体側部とを備えており、
このボディが、その左右の厚さより上下の幅の方が大きい、扁平形状を呈しており、
上記第一体側部及び第二体側部がともに平面的形状を呈しており、
上記水抵抗体が、上記第一体側部における、頭部より後方であり且つ尾部より前方である部位に、ボディに対して可動状態で取り付けられているジグ。
【請求項２】
上記水抵抗体が、薄い板状のブレード及び薄い板から形成されたプロペラのうちのいずれか一方であり、ボディに対して回転自在に取り付けられている請求項１に記載のジグ。
【請求項３】
上記水抵抗体をボディに取り付けるための連結部材を備えており、
この連結部材が、ボディに固定されたアイと、一端がこのアイに連結され、他端が上記水抵抗体に連結されたスイベルとから構成されている請求項１又は２に記載のジグ。
【請求項４】
上記スイベルが、中空の胴部と、上記水抵抗体に連結される上環と、上記水抵抗体用のアイに連結される下環を有しており、
胴部の上端に形成された上間口に、上記上環が回転自在且つ脱出不能に連結され、胴部の下端に形成された下間口に、上記下環が回転自在且つ脱出不能に連結されている請求項３に記載のジグ。
【発明の詳細な説明】
【技術分野】
【０００１】
本発明は、魚釣りに用いられるルアーに関する。さらに詳しくは、ブレード等の水抵抗体が取り付けられたルアーに関する。
【背景技術】
【０００２】
小魚を補食するフィッシュイータを捕獲する手段として、ルアーフィッシングが普及している。ルアーフィッシングでは、疑似餌としてのルアーが用いられる。このルアーの一種であるメタルジグが使用される。このメタルジグを使用した釣りはジギングと呼ばれている。メタルジグは、海中の狙いの棚に沈降させて使用される。メタルジグの一種として、いわゆるテールスピン型ジグ、スピナーベイト型ジグ等が知られている。これらのジグは、特開２００２−３４３９３公報、特開２００２−３６０１２８公報、特開２００６−１９７９０３公報、特開２００７−２２８９５１公報に開示されている。
【０００３】
これらのジグは、小魚の形状を真似たボディを有している。ボディには、水からの抵抗を受けて回転したり羽ばたくように動くブレードが取り付けられている。ブレードは、例えば、小判、木の葉等の形状を有している。ブレードは、曲面状や平面状を呈した薄い板から形成されている。ブレードは、スプリットリング、又は、金属線から形成されたシャフトにより、ボディの後端部に取り付けられる。ブレードが、ボディの前端部から上方に延びたシャフトの先端に取り付けられたジグも知られている。ボディには、金属線からなるフックアイ及びラインアイが設けられている。フックアイにはフックが取り付けられる。ラインアイにはラインが結ばれる。
【０００４】
上記ブレードは、ボディ及びシャフトへの取付部において、回転自在にされている。テールスピン型ジグ及びスピナーベイト型ジグが、水中をラインに引かれて泳ぐとき、シャフトが振動する。ブレードが、水の抵抗を受けることによって回転する。このようなブレードの動きが、フィッシュイータに対するジグのアピールに寄与する。このジグをベイトと勘違いしたフィッシュイータは、ジグに食いつく。ジグに取り付けられたフックがフィッシュイータに刺さり、フィッシュイータが釣り上げられる。
【先行技術文献】
【特許文献】
【０００５】
【特許文献１】特開２００２−３４３９３公報
【特許文献２】特開２００２−３６０１２８公報
【特許文献３】特開２００６−１９７９０３公報
【特許文献４】特開２００７−２２８９５１公報
【発明の概要】
【発明が解決しようとする課題】
【０００６】
本発明の目的は、ジグが、フォールされるとき、ラインを介してしゃくられる（引き上げ力が繰り返し加えられる）とき等、ジグ使用時の種々の場面において、フィッシュイータに対してより効果的にアピールしうるルアーを提供することにある。
【課題を解決するための手段】
【０００７】
本発明に係るルアーは、
ボディと、
水中を移動するとき、水の抵抗を受けることにより、ボディとは異なる動きをしうる水抵抗体とを備えており、
上記ボディが、前端部の頭部と、後端部の尾部とを備えており、
上記水抵抗体が、頭部より後方であり且つ尾部より前方である部位に、ボディに対して可動状態で取り付けられている。
【０００８】
好ましくは、上記ボディが、頭部と尾部との間に、上部である背部、下部である腹部、左右の体側部の一方である第一体側部、及び、他方である第二体側部を備えており、このボディが、その左右の厚さより上下の幅の方が大きい、扁平形状を呈しており、上記水抵抗体が、第一体側部に取り付けられている。
【０００９】
好ましくは、上記ボディが、ラインが接続されるラインアイを有しており、ラインアイと上記水抵抗体の取り付け位置との間にルアーの重心が位置している。
【００１０】
さらに好ましくは、ボディの全長に対する、ボディの前端から水抵抗体取り付け位置までの距離の比が、０．５以上であり、ボディの前端から水抵抗体取り付け位置までの距離に対する、ボディの前端から重心までの距離の比が、１．０以下である。
【００１１】
好ましくは、上記水抵抗体が、薄い板状のブレード及び薄い板から形成されたプロペラのうちのいずれか一方であり、ボディに対して回転自在に取り付けられている。
【００１２】
好ましくは、上記水抵抗体をボディに取り付けるための連結部材を備えており、この連結部材が、ボディに固定されたアイと、一端がアイに連結され、他端が上記水抵抗体に連結されたスイベルとから構成されている。
【発明の効果】
【００１３】
本発明によれば、その水抵抗体の挙動が、フィッシュイータに対するルアーのアピール性を向上しうる。
【図面の簡単な説明】
【００１４】
【図１】図１は、本発明に係るルアーの一実施形態であるジグを示す斜視図である。
【図２】図２は、図１のジグの重心位置と水抵抗体の取り付け位置との位置関係を示す底面図である。
【図３】図３は、図１のジグの挙動を説明する斜視図である。
【図４】図４（ａ）は、図１のジグの正面図であり、図４（ｂ）は、図４（ａ）のIV−IV線に沿った縦断面図である。
【発明を実施するための形態】
【００１５】
以下、適宜図面が参照されつつ、好ましい実施形態に基づいて本発明が詳細に説明される。
【００１６】
図１には、ルアーの一種であるメタルジグ（以下、単にジグという）１が示されている。ジグ１は、ボディ２を有している。ボディ２は、ベイトである小魚に類似した外形を有している。ボディ２の表面が着色されてもよい。ボディ２の表面に模様が画かれてもよい。着色や模様は、フィッシュイータに対するアピールに寄与する。図中の左側が頭部（ヘッド）３側（前方）であり、右側が尾部（テール）４側（後方）であり、上側が背部５側であり、下側が腹部６側である。背部５と腹部６との間に、左右の体側部７、８が形成されている。ボディ２は、その左右方向の厚さより上下方向の幅の方が大きい、扁平形状を呈している。
【００１７】
ボディ２の前端部には、ラインアイ９が設けられている。ボディ２の後端部にはフックアイ１０が設けられている。ボディ２の左体側部７にはブレードアイ１１が設けられている。本発明においては、ブレードアイ１１は右体側部８に設けられてもよい。ラインアイ９、フックアイ１０及びブレードアイ１１は、いずれも金属線から形成されている。ラインアイ９には、スプリットリング２１を介してライン１２が連結されている。フックアイ１０には、スプリットリング２１を介してフック１３が取り付けられている。このフック１３は、いわゆるトレブルフックである。ブレードアイ１１にはブレード１４が回転自在に取り付けられている。
【００１８】
ボディ２の各アイ９、１０、１１を除く部分（仮に魚体部分と呼ぶ）は、通常、タングステン合金、鉛等の比重の大きい金属から鋳造によって製造される。魚体部分がタングステン合金から製造される場合、粉状の材料が焼結されることにより得られる。上記ラインアイ９及びフックアイ１０はともに、鋳造又は焼結工程において、魚体部分に一体化されている。ブレードアイ１１は、ボディ２の表面にろう付け等によって固着されている。
【００１９】
ブレード１４は、薄い金属、合成樹脂等の板から、木の葉状に形成されている。本発明では、ブレード１４は、木の葉状に限らず、円板状、小判状等、任意の形状が採用されうる。ブレード１４は、スイベル（サルカンともいう）１５によってブレードアイ１１に取り付けられている。スイベル１５は、胴部１６、上環１７及び下環１８を有している。胴部１６は中空である。胴部１６の上端には上間口１９が形成され、下端には図示しない下間口が形成されている。上間口１９及び下間口の内径は小さい。上環１７及び下環１８は、金属線から概ねΩ字状に形成されている。上環１７及び下環１８の図示しない各基部は、上間口１９及び下間口を通して胴部１６の内部に挿入されている。各基部は、胴部１６の内部に張り出して、上間口１９及び下間口から脱出不能にされている。上環１７はブレード１４の貫通孔２０に接続され、下環１８はブレードアイ１１に接続されている。上環１７及び下環１８は、胴部１６に対して、胴部１６の中心軸回りに回転自在にされている。その結果。ブレード１４は、ボディに対して回転自在にされている。図中のスイベル１５は、スイベル機構の一例を示している。本発明におけるスイベル機構は、かかる構造には限定されない。
【００２０】
図２には、ジグ１におけるブレード１４とジグ１の重心Ｇとの位置関係が示されている。この重心Ｇの決定に際しては、フック１３の重量を含めても、除いてもよい。ブレード１４の取り付け位置は、ボディ２の長手方向で頭部と尾部との間である。ボディ２の全長、すなわち、ラインアイ９の前端からフックアイ１０の後端までの距離をＬ１とする。ラインアイ９の前端からブレードアイ１１までの距離をＬ２とする。ラインアイ９の前端から重心Ｇまでの距離をＬ３とする。ブレード１４の好ましい挙動という観点から、Ｌ２／Ｌ１が０．５以上であるのが好ましく、Ｌ３／Ｌ２が１．０以下であるのが好ましい。すなわち、好ましくは、ブレード１４の取り付け位置が、ボディ２の長手方向における、ジグ１の重心Ｇの位置、又はそれより尾部側にあるのが好ましい。上記と同様の観点から、ブレード１４の取り付け位置が、さらに、ラインアイ９の前端から、ボディ２の全長の１／２の位置と４／５の位置との間にあるのが好ましく、ボディ２の全長の１／２の位置と３／４の位置との間にあるのがさらに好ましい。
【００２１】
図３は、ジグ１を斜め下から見た斜視図である。図３に示されるように、ブレード１４は、ボディ２の左体側部７に対して、上記スイベル１５のみによって取り付けられている。ブレード１４のボディ２への連結に、シャフト、ハリス等の長尺部材は用いられていない。ブレード１４は、ボディ２に近接している。従って、ブレード２はフック１３と干渉しにくい。ジグ１の沈降時には、重心Ｇの長手方向両側に、沈降抵抗となるライン１２及びブレード１４が位置する。その結果、ボディ２が水平の姿勢に近づこうとする。この状態では、ブレード１４が大きく回転し揺動しうる。ジグ１は、やや平面的な体側部に水の抵抗を受けなら沈む。このように、ジグ１は、その重量バランスに起因して、水平姿勢を保とうとしながら沈む。その結果、ボディ２が水の抵抗によって左右前後に繰り返し傾く。このジグの、ローリング、ピッチング、ヨーイング等の動作と、ブレード１４の回転とが干渉する。その結果、ジグの動きが不規則且つ複雑なものとなる。このジグ１の挙動は、フィッシュイータに対するアピール効果が大きい。ジグ１の沈降に対するライン１２からの抵抗は、ブレード１４による抵抗より小さい。従って、ブレード１４の取り付け位置は、重心Ｇの位置に近いのが好ましい。
【００２２】
ブレード１４の取り付け個数は、１個だけには限定されない。本発明では、ボディ２に対して２個以上のブレード１４が取り付けられてもよい。一つのブレードアイ１１に、複数個のブレード１４が取り付けられてもよい。
【００２３】
ブレード１４に代えて、図示しないプロペラがボディ２に取り付けられてもよい。このプロペラは、中央に位置するボス部と、ボス部から放射状に延びる複数枚の薄い羽を有している。プロペラは、図１に示されるスイベル１５のような連結部材を介してボディ２に取り付けられてもよい。この場合、プロペラのボス部に、スイベルの上環が接続される。プロペラは、短いシャフトによってボディ２に取り付けられてもよい。この場合、シャフトがボディ２の一方の体側部に突設される。スイベルのボス部には貫通孔が形成される。この貫通孔にシャフトが挿通される。シャフトの先端にはストッパが固定され、プロペラはシャフトから離脱不能となる。ストッパは、シャフトに対して着脱可能にされてもよい。このシャフトは、ボディ２に揺動可能に取り付けられてもよい。
【００２４】
ブレードアイ１１は、ラインアイ９及び／又はフックアイ１０と一体に形成されてもよい。例えば、図４に示されるように、一本の金属線２２が三つに折り曲げられる。金属線２２の２つの折り曲げ位置に、ラインアイ９用のループ部９ａ及びフックアイ１０用のループ部１０ａが形成される。金属線２２の、三つに折られたうちの二つの端部の直線部分２２ａ、２２ｂの一方２２ａに、ブレードアイ１１用の屈曲部１１ａが形成される。又は、一本の金属線２２を、折り曲げると同時に、順に各部９ａ、１０ａ、１１ａ（又は、１１ａ、１０ａ、９ａの順に）を形成してもよい。金属線２２の各部９ａ、１０ａ、１１ａが、ボディ２用鋳型から突出するように配置される。鋳型内に溶融鉛、タングステン合金粉末等の材料が注入される。これらの金属材料が型内で凝固し、ジグが出来上がる。以上の手順は一例である。
【００２５】
ブレード１４の取り付け位置は、体側部７、８には限定されない。背部５でも腹部６でもよい。しかし、ジグが弱った小魚を演技することによってフィッシュイータにアピールするという観点から、ブレード１４は、左右いずれかの体側部７、８に取り付けられるのが好ましい。ブレード１４に対する水の抵抗により、ジグ１が、弱った小魚のように横倒しの姿勢（図３参照）をとりうるからである。
【産業上の利用可能性】
【００２６】
本発明に係るルアーによれば、ブレード、プロペラ等の水抵抗体によるフィッシュイータへのアピール性が向上する。従って、このルアーは、例えば、メタルジグを用いた魚釣りであるジギングに好適である。
【符号の説明】
【００２７】
１・・・ジグ
２・・・ボディ
３・・・頭部
４・・・尾部
５・・・背部
６・・・腹部
７・・・左体側部
８・・・右体側部
９・・・ラインアイ
１０・・・フックアイ
１１・・・ブレードアイ
１２・・・ライン
１３・・・フック
１４・・・ブレード
１５・・・スイベル
１６・・・胴部
１７・・・上環
１８・・・下環
１９・・・上間口
２０・・・（ブレードの）貫通孔
２１・・・スプリットリング
２２・・・金属線
Ｇ・・・（ジグの）重心
【図１】
0005841746.tif 000002
【図２】
0005841746.tif 000003
【図３】
0005841746.tif 000004
【図４】
0005841746.tif 000005